(57)【特許請求の範囲】
【請求項１】
カード用コネクタは、カードの挿入を案内し、かつ、挿入の許容阻止選択部材が設けられたガイド部を有し、
前記挿入の許容阻止選択部材は、所定厚さのカードが挿入された際、前記所定厚さのカードが当接することによって弾性変形して前記所定厚さのカードの更なる挿入を許容する選択片を有し、
前記選択片は、前記所定厚さよりも薄いカードが挿入された際、前記薄いカードと係合することによって前記薄いカードの更なる挿入を阻止する係合部を有し、
前記係合部に開口が設けられ、
前記薄いカードが挿入された際、前記薄いカードの先端面は、前記開口の一端に当たるように構成されることを特徴とするカード用コネクタ。
【請求項２】
前記挿入の許容阻止選択部材は前記カードの厚さ方向に弾性変形可能な位置規制片を有し、前記位置規制片は前記薄いカードが挿入された際、前記薄いカードを前記係合部に案内することを特徴とする請求項１記載のカード用コネクタ。
【発明の詳細な説明】
【０００１】
【発明の属する技術分野】
本発明は、カード用コネクタに関し、所定の厚さよりも薄いカードの挿入を阻止するカード用コネクタに関する。
【０００２】
【従来の技術】
まず、第１の従来の技術のカード用コネクタについて図５を参照して説明する。
【０００３】
カード用コネクタ４１のフレーム４２は、左右一対のガイド部４２ａ，４２ａと、両ガイド部４２ａ，４２ａを連結する連結部４２ｂとからコ字形状に構成される。連結部４２ｂ内には、嵌合部（図示せず）が設けられ、嵌合部は複数本のピンコンタクトを有する。
【０００４】
所定厚さのカード５１をカード用コネクタ４１に矢印方向に挿入すると、所定厚さのカード５１の先端部に設けられた複数本のソケットコンタクト５１ａは、カード用コネクタ４１の各ピンコンタクトと接続する。
【０００５】
しかし、所定厚さよりも薄いカード５２を誤ってカード用コネクタ４１に矢印方向に挿入すると、薄いカード５２の先端面はカード用コネクタ４１の各ピンコンタクトを押圧する。この結果、各ピンコンタクトが曲げ倒されるので、カード用コネクタ４１は破損する。
【０００６】
次に、第２の従来の技術のカード用処理装置について説明する（例えば、特許文献１参照。）。
【０００７】
図６に示されるように、カード用処理装置６１の内部には、シャッタ６２が軸６３を中心として回転可能に支持されている。シャッタ６２は、軸６３の付近に設けられたカード用の当接部６２ａと、腕部６２ｂと、腕部６２ｂの先端に設けられた薄いカード用の挿入阻止部６２ｃとから構成される。カード用処理装置６１の内部におけるシャッタ６２の奥側には、基板６４が設置されている。
【０００８】
図６（Ａ）に示されるように、所定厚さのカード７１をカード用処理装置６１のカード挿入口６１ａから挿入すると、所定厚さのカード７１の先端上面はシャッタ６２の当接部６２ａを押し上げる。すると、シャッタ６２は軸６３を中心として若干左回転するので、挿入阻止部６２ｃはカードの挿入通路から退出する。したがって、所定厚さのカード７１はカード用処理装置６１内に深く進入し、所定厚さのカード７１の先端上面に設けられた端子は基板６４の下面に設けられた端子と接続する。
【０００９】
しかし、図６（Ｂ）に示されるように、所定厚さよりも薄いカード７２をカード用処理装置６１のカード挿入口６１ａから挿入すると、薄いカード７２の先端上面はシャッタ６２の当接部６２ａを僅かしか押し上げない。したがって、シャッタ６２は軸６３を中心として僅かしか左回転しないので、挿入阻止部６２ｃはカードの挿入通路から退出しない。よって、薄いカード７２は、カード用処理装置６１内に深く進入することができない。
【００１０】
続いて、第３の従来の技術のカード用処理装置について説明する（例えば、特許文献２参照。）。
【００１１】
図７に示されるように、カード用処理装置８１の内部には、検知レバー８２が軸８３を中心として回転可能に支持されている。検知レバー８２は、一方側にカードを検知する検知片８２ａを、他方側にシャッタ８４を押圧する押圧片８２ｂを、それぞれ有する。検知レバー８２の付近に、シャッタ８４が軸８５を中心として回転可能に支持されている。シャッタ８４は、一方側に薄いカード用の挿入阻止片８４ａを、他方側に押圧片８２ｂによって押圧される被押圧片８４ｂを、それぞれ有する。カード用処理装置８１の内部におけるシャッタ８４の奥側には、カード収容部８６が設置されている。
【００１２】
図７（Ａ）に示されるように、所定厚さのカード９１をカード用処理装置８１のカード挿入口８１ａから挿入すると、所定厚さのカード９１の先端上面は検知レバー８２の検知片８２ａを押し上げる。すると、検知レバー８２は軸８３を中心として若干右回転するので、押圧片８２ｂはシャッタ８４の被押圧片８４ｂを押圧する。したがって、図７（Ｂ）に示されるように、シャッタ８４は軸８５を中心として若干右回転するので、挿入阻止片８４ａはカードの挿入通路から退出する。よって、厚いカード９１は、カード用処理装置８１内に深く進入し、カード収容部８６に収容される。
【００１３】
しかし、図７（Ｃ）に示されるように、所定厚さよりも薄いカード９２をカード用処理装置８１のカード挿入口８１ａから挿入すると、薄いカード９２の先端上面は検知レバー８２の検知片８２ａを僅かしか押し上げない。したがって、検知レバー８２は軸８３を中心として僅かしか右回転しないので、押圧片８２ｂはシャッタ８４の被押圧片８４ｂを押圧しない。よって、薄いカード９２の先端は挿入阻止片８４ａに突き当たるので、薄いカード９２はカード用処理装置８１内に深く進入することができない。
【００１４】
【特許文献１】
特開平９−１６８３３号公報（第６頁第１０欄第６行−第４４行、図９）
【００１５】
【特許文献２】
特開平９−３５０２１号公報（第５頁第８欄第１８行−第４７行、図９）
【００１６】
【発明が解決しようとする課題】
第１の従来の技術のカード用コネクタ４１では、所定厚さよりも薄いカード５２をカード用コネクタ４１に挿入すると、各ピンコンタクトが曲げ倒されるので、カード用コネクタ４１は破損する。
【００１７】
第２の従来の技術のカード用処理装置６１では、シャッタ６２を回転させるための機構が必要であるので、構造が複雑であり、また、装置が大型化せざるを得ない。
【００１８】
第３の従来の技術のカード用処理装置８１では、検知レバー８２とシャッタ８４を回転させるための機構が必要であるので、構造が複雑であり、また、部品点数が多く、更に、装置が大型化せざるを得ない。
【００１９】
そこで、本発明は、前記諸従来の技術の欠点を改良し、構造が簡素で、部品点数が少なく、しかも、コンパクトで、所定厚さよりも薄いカードの挿入を阻止するカード用コネクタを提出しようとするものである。
【００２０】
【課題を解決するための手段】
本発明は、前記課題を解決するため、次の手段を採用する。
【００２１】
１．カード用コネクタは、カードの挿入を案内し、かつ、挿入の許容阻止選択部材が設けられたガイド部を有し、前記挿入の許容阻止選択部材は、所定厚さのカードが挿入された際、前記所定厚さのカードが当接することによって弾性変形して前記所定厚さのカードの更なる挿入を許容する選択片を有し、前記選択片は、前記所定厚さよりも薄いカードが挿入された際、前記薄いカードと係合することによって前記薄いカードの更なる挿入を阻止する係合部を有し、前記係合部に開口が設けられ、前記薄いカードが挿入された際、前記薄いカードの先端面は、前記開口の一端に当たるように構成されるカード用コネクタ。
【００２２】
２．前記挿入の許容阻止選択部材は前記カードの厚さ方向に弾性変形可能な位置規制片を有し、前記位置規制片は前記薄いカードが挿入された際、前記薄いカードを前記係合部に案内する前記１記載のカード用コネクタ。
【００２３】
【発明の実施の形態】
本発明の２つの実施の形態例のカード用コネクタについて説明する。
【００２４】
まず、本発明の第１実施の形態例について図１〜図３を参照して説明する。
【００２５】
図１に示されるように、カード用コネクタ１のフレーム２は、左右一対のガイド部２ａ，２ａと、両ガイド部２ａ，２ａを連結する連結部２ｂとからコ字形状に一体に構成される。連結部２ｂ内には、嵌合部（図示せず）が設けられ、嵌合部は複数本のピンコンタクトを有する。
【００２６】
両ガイド部２ａ，２ａには、図１に示されるように、所定厚さよりも薄いカード１２がカード用コネクタ１に挿入されることを阻止するための挿入の許容阻止選択部材３が、取り付けられている。
【００２７】
各挿入の許容阻止選択部材３は、図３に示されるように、コ字形状の基部３ａと、基部３ａの上部３ａ１及び下部３ａ２からそれぞれ延出するように形成された一対の弾性変形可能な中寄せ片３ｂ，３ｂと、基部３ａの側部３ａ３から延出するように形成された弾性変形可能な選択片３ｃとから一体に構成される。選択片３ｃの中央には、環状の開口３ｃ１が設けられている。上部３ａ１には、挿入の許容阻止選択部材３をガイド部２ａに取り付けるために、穴３ａ１ａが設けられている。下部３ａ２にも、同様に穴が設けられている。
【００２８】
各ガイド部２ａの上下両面には、図１に示されるように、各中寄せ片３ｂが収容される各穴２ａ１が設けられ、また、各ガイド部２ａの側面には、選択片３ｃが収容される穴２ａ２が設けられている。
【００２９】
各ガイド部２ａに各挿入の許容阻止選択部材３をかしめによって取り付け、各中寄せ片３ｂと選択片３ｃを、それぞれ各穴２ａ１と穴２ａ２に収容する。
【００３０】
図１に示される状態において、所定厚さのカード１１をカード用コネクタ１の左右両ガイド部２ａ，２ａに矢印方向に挿入すると、図２（Ａ）に示されるように、所定厚さのカード１１の表裏両面は、各挿入の許容阻止選択部材３の一対の中寄せ片３ｂ，３ｂを上下方向に弾性変形させて離間させ、また、所定厚さのカード１１の両側面は、各挿入の許容阻止選択部材３の選択片３ｃを左右両ガイド部２ａ，２ａの外側へ弾性変形させる。更に、所定厚さのカード１１を矢印方向に挿入すると、所定厚さのカード１１の先端部に設けられた複数本のソケットコンタクト１１ａは、カード用コネクタ１１の各ピンコンタクトと接続する。
【００３１】
しかし、所定厚さよりも薄いカード１２をカード用コネクタ１の左右両ガイド部２ａ，２ａに矢印方向に挿入すると、図２（Ｂ）に示されるように、薄いカード１２は、２組の一対の中寄せ片３ｂ，３ｂに挟持され、各選択片３ｃの開口３ｃ１内に案内され、薄いカード１２の先端面は各開口３ｃ１の一端に突き当たる。したがって、薄いカード１２は、更なる挿入を阻止される。
【００３２】
次に、本発明の第２実施の形態例について図４を参照して説明する。ただし、第２実施の形態例については、第１実施の形態例と同様な点の説明を省略し、相違する点の説明のみを行う。
【００３３】
第１実施の形態例のカード用コネクタ１では、各挿入の許容阻止選択部材３と左右両ガイド部２ａ，２ａとは、別個の部材として構成され、各挿入の許容阻止選択部材３は、左右両ガイド部２ａ，２ａにかしめによって取り付けられる。これに対して、第２実施の形態例のカード用コネクタ２１では、左右両ガイド部２２ａ，２２ａに一対の中寄せ片２２ａ１，２２ａ１と選択片２２ａ２が設けられる。
【００３４】
また、第１実施の形態例のカード用コネクタ１では、左右両ガイド部２ａ，２ａと連結部２ｂとは、一体に構成される。これに対して、第２実施の形態例のカード用コネクタ２１では、左右両ガイド部２２ａ，２２ａと連結部２２ｂとは、簡易に製作するために、別個の部材として製作された後に連結されて１つのフレーム２２を構成する。
【００３５】
本発明の各実施の形態例のカード用コネクタ１，２１には、２組の一対の中寄せ片３ｂ，３ｂ，２２ａ１，２２ａ１が設けられているが、次のように設計変更することができる。すなわち、一方の各中寄せ片３ｂ，２２ａ１によって所定厚さのカード１１と薄いカード１２を各ガイド部２ａ，２２ａに対して圧接させると、他方の各中寄せ片３ｂ，２２ａ１を省略することができる。
【００３６】
以上に述べた理由で、「中寄せ片」を「位置規制片」ということができる。
【００３７】
更に、カード用コネクタ１の各挿入の許容阻止選択部材３が中寄せ片３ｂを全く欠如しても、また、カード用コネクタ２１の各ガイド部２２ａが中寄せ片２２ａ１を全く欠如しても、所定厚さのカード１１の各側面は各選択片３ｃ，２２ａ２をカードの挿入通路から退出させ、また、薄いカード１２は各選択片３ｃ，２２ａ２の開口３ｃ１，２２ａ２ａ内に案内され、薄いカード１２の先端面は各開口３ｃ１，２２ａ２ａの一端に突き当たるように構成すると、所期の目的は達成される。この構成の一例としては、各選択片３ｃ，２２ａ２を各ガイド部２ａ，２２ａの内側の底面に近接して設置することである。
【００３８】
【発明の効果】
以上の説明から明らかなように、本発明によれば、次の効果が、奏される。
【００３９】
１．カードのコネクタへの挿入の許容阻止選択部材をコネクタのガイド部に設けることによって、所定厚さのカードはコネクタ内の正規位置まで挿入され、所定厚さよりも薄いカードは途中で挿入を阻止される。したがって、コネクタの破損とカードの誤挿入は、防止される。
【００４０】
２．挿入の許容阻止選択部材は、弾性変形可能な選択片と、必要に応じて弾性変形可能な位置規制片（中寄せ片）を有するという簡素な構造である。また、挿入の許容阻止選択部材とコネクタのガイド部とは、単一部品として構成可能であるため、部品点数は、増加しない。更に、コネクタ全体として、コンパクトに構成される。
【図面の簡単な説明】
【図１】本発明の第１実施の形態例のカード用コネクタに所定厚さのカードと所定厚さよりも薄いカードが挿入される前の斜視図である。
【図２】同コネクタにカードが挿入されたときの挿入の許容阻止選択部材の作用を示す拡大斜視図であり、（Ａ）は同所定厚さのカードの場合、（Ｂ）は同薄いカードの場合を、それぞれ示す。
【図３】同挿入の許容阻止選択部材の拡大斜視図である。
【図４】本発明の第２実施の形態例のカード用コネクタの斜視図である。
【図５】第１の従来の技術のカード用コネクタに所定厚さのカードと所定厚さよりも薄いカードが挿入される前の斜視図である。
【図６】第２の従来の技術のカード用処理装置にカードが挿入されたときの側面図であり、（Ａ）は所定厚さのカードの場合、（Ｂ）は所定厚さよりも薄いカードの場合、（Ｃ）は同薄いカードの更なる挿入がシャッタによって阻止された場合を、それぞれ示す。
【図７】第３の従来の技術のカード用処理装置にカードが挿入されたときの側面図であり、（Ａ）は所定厚さのカードの場合、（Ｂ）は同所定厚さのカードが更に挿入された場合、（Ｃ）は所定厚さよりも薄いカードの更なる挿入がシャッタによって阻止された場合を、それぞれ示す。
【符号の説明】
１    カード用コネクタ
２    フレーム
２ａ    ガイド部
２ａ１    穴
２ａ２    穴
２ｂ    連結部
３    挿入の許容阻止選択部材
３ａ    基部
３ａ１    上部
３ａ１ａ    穴
３ａ２    下部
３ａ３    側部
３ｂ    中寄せ片、位置規制片
３ｃ    選択片
３ｃ１    開口
１１    所定厚さのカード
１１ａ    ソケットコンタクト
１２    薄いカード
２１    カード用コネクタ
２２    フレーム
２２ａ    ガイド部
２２ａ１    中寄せ片、位置規制片
２２ａ２    選択片
２２ａ２ａ    開口
２２ｂ    連結部
【図１】
0003728601.tif 000002
【図２】
0003728601.tif 000003
【図３】
0003728601.tif 000004
【図４】
0003728601.tif 000005
【図５】
0003728601.tif 000006
【図６】
0003728601.tif 000007
【図７】
0003728601.tif 000008